(57)【要約】【課題】  冷却機で発生させた冷気の供給などを制御するダンパ装置において、ダンパ装置が配置される冷蔵庫などの機器の小型化を図るとともに収納室の脱臭を行うタイミングの自由度を高め、収納室の脱臭を充分に行うことができるダンパ装置を提供すること。【解決手段】  本形態のダンパ装置１では、軸流ファン５７がハウジング５５に対して一体に取り付けられているため、例えば、共通の冷却機３０から複数の収納室に冷気を供給する場合でも、個々の収納室に向かう各冷気供給経路にダンパ装置１を配置すればよく、大型の送風ファンを冷却機３０近傍に配置する必要がない。しかも、バッフルが、吸気口５２と排気口５３との流路を閉鎖した際に第２の吸気口５５７と排気口５３との流路を開口するように構成されているため、冷却機３０からの冷気が導入される吸気口５２を遮断して軸流ファン５７を駆動することができる。【選択図】  図１
2007147178.tif 000002
【特許請求の範囲】
【請求項１】
吸気口および排気口を備えたハウジングと、該ハウジング内の流路を開閉可能なバッフルとを有するダンパ装置において、
前記ハウジングには、さらに第２の吸気口を有するとともに一体に取り付けた送風ファンを有し、
前記吸気口および前記第２の吸気口は共に、前記流路を介して前記排気口に連結され、
前記送風ファンを前記バッフルより前記排気口側に配設したことを特徴とするダンパ装置。
【請求項２】
請求項１において、前記第２の吸気口は、前記送風ファンより前記吸気口側に配設したことを特徴とするダンパ装置。
【請求項３】
請求項１または２において、前記バッフルは、前記吸気口と前記排気口との流路を閉鎖した際に前記第２の吸気口と前記排気口との流路を開口するように構成されていることを特徴とするダンパ装置。
【請求項４】
請求項１ないし３において、１つの前記バッフルにより、前記吸気口と前記第２の吸気口との開閉を行うように構成し、前記バッフルにより前記吸気口を閉鎖すると、前記第２の吸気口と前記排出口とが連通され、前記バッフルにより前記第２の吸気口を閉鎖すると、前記吸気口と前記排出口とが連通されることを特徴とするダンパ装置。
【請求項５】
請求項１ないし３のいずれかに規定するダンパ装置と、冷却機と、該冷却機で発生した冷気が前記吸気口から供給される収納室とを備えた冷蔵庫であって、
前記ダンパ装置は、前記収納室における冷気取り入れ口に、前記排出口と前記第２の吸気口を臨ませて配置されていることを特徴とする冷蔵庫。
【発明の詳細な説明】
【技術分野】
【０００１】
本発明は、冷気などの供給を制御するダンパ装置、およびこのダンパ装置を備えた冷蔵庫に関するものである。
【背景技術】
【０００２】
冷蔵庫などにおいて食品などを収納する収納室を冷却する場合には、冷却機の近傍に送風ファンを配置するとともに、この送風ファンにより送られてくる冷気をダンパ装置のバッフルにより遮断した状態と収納室に供給する状態とに切り換えるようになっている。また、複数の収納室の各々を冷却する場合には、冷却機の近傍に配置した共通の送風ファンで冷気の送風を行うとともに、複数の収納室の各々に対して配置したダンパ装置のダンパによって、送風ファンにより送られてくる冷気の供給および遮断を制御するようになっている。
【発明の開示】
【発明が解決しようとする課題】
【０００３】
しかしながら、従来のように、冷却機近傍に送風ファンを配置すると、複数の冷却室の各々に冷気を供給するには大型のファンが必要となり、送風ファンが大きな空間を占有してしまうという問題点がある。
【０００４】
また、収納室の臭気を効率よく脱臭するために、冷気の通風路であるダクト内に脱臭フィルタを装着し、この脱臭フィルタに冷気を導くように構成している。ダクト内に蒸発器と送風機が配設されているため、脱臭を行うタイミングが、冷気を供給するときのみに限定されてしまうという問題がある。また、冷蔵庫本体に備えられた扉の開閉の頻度が低い場合には、収納室の温度上昇が抑えられるため、脱臭のタイミングが抑制され、収納室を充分に脱臭できないという問題がある。
【０００５】
以上の問題に鑑みて、本発明の課題は、冷却機で発生させた冷気の供給などを制御するダンパ装置において、当該ダンパ装置が配置される冷蔵庫などの機器の小型化を図るとともに収納室の脱臭を行うタイミングの自由度を高め、収納室の脱臭を充分に行うことができるダンパ装置を提供することにある。また、本発明の課題は、当該ダンパ装置を備えた冷蔵庫を提供することにある。
【課題を解決するための手段】
【０００６】
上記課題を解決するために、本発明では、吸気口および排気口を備えたハウジングと、該ハウジング内の流路を開閉可能なバッフルとを有するダンパ装置において、前記ハウジングには、さらに第２の吸気口を有するとともに一体に取り付けた送風ファンを有し、前記吸気口および前記第２の吸気口は共に、前記流路を介して前記排気口に連結され、前記送風ファンを前記バッフルより前記排気口側に配設したことを特徴とする。
【０００７】
本発明において、前記第２の吸気口は、前記送風ファンより前記吸気口側に配設させることが好ましい。このように構成すると、流体を第２の吸気口から効率良く導入することができる。
【０００８】
本発明において、前記バッフルは、前記吸気口と前記排気口との流路を閉鎖した際に前記第２の吸気口と前記排気口との流路を開口させることが好ましい。さらに、１つの前記バッフルにより、前記吸気口と前記第２の吸気口との開閉を行うように構成し、前記バッフルにより前記吸気口を閉鎖すると、前記第２の吸気口と前記排出口とが連通され、前記バッフルにより前記第２の吸気口を閉鎖すると、前記吸気口と前記排出口とが連通されることが好ましい。このように構成すると、例えば、冷却機からの冷気が導入される吸気口を遮断して送風ファンを駆動することにより、第２の吸気口から収納室の空気を導入することができるので、冷気を導入することなく収納室の空気を循環させることができる。故に、収納室内の温度が設定温度以下であっても、脱臭を行うことが可能となり、収納室内の脱臭のタイミングの自由度を高め、収納室の脱臭を充分に行うことが可能になる。
【０００９】
本発明に係るダンパ装置と、冷却機と、該冷却機で発生した冷気が前記吸気口から供給される収納室とを備えた冷蔵庫では、前記ダンパ装置が、前記収納室における冷気取り入れ口に、前記排出口と前記第２の吸気口を臨ませて配置されていることが好ましい。
【発明の効果】
【００１０】
本発明では、ダンパ装置のハウジングに対して送風ファンが一体に取り付けられているため、例えば、共通の冷却機から複数の収納室に冷気を供給する場合でも、個々の収納室に向かう各冷気通路にダンパ装置を配置すればよい。このため、送風ファンとしては小型のものでよく、冷却機の近傍に大型のファンを配置するための大きな空間を確保する必要がない。それ故、冷蔵庫などの機器の小型化を図ることができる。しかも、例えば、冷却機からの冷気が導入される吸気口を遮断して送風ファンを駆動することにより、冷気を導入することなく収納室の空気を循環させることができるので、収納室内の温度が設定温度以下であっても、脱臭を行うことができる。そのため、収納室内の脱臭のタイミングの自由度を高め、収納室の脱臭を充分に行うことが可能になる。
【発明を実施するための最良の形態】
【００１１】
以下に、図面を参照して、本発明を適用したダンパ装置の一例を説明する。
【００１２】
（全体構成）
図１は、本発明の実施の形態に係るダンパ装置の一部を断面で示す斜視図である。図２（ａ）、（ｂ）は、本発明の実施の形態に係るダンパ装置の正面図、および（ａ）におけるＡ−Ａ断面を矢示Ｌの方向から見たときの断面図である。図３は、図１に示すダンパ装置の分解斜視図である。
【００１３】
図１に示すダンパ装置１は、冷蔵庫などにおいて食品などの収納室の冷気取り入れ口に配置され、冷却機３０からダクト４０を介して送られる冷気の供給および遮断を制御するものである。
【００１４】
本形態のダンパ装置１は、冷却機３０から延びたダクト４０によって覆われた吸気口５２と、冷蔵庫の収納室で開口する排気口５３（図３参照）、および第２の吸気口５５７を備えたハウジング５５と、このハウジング５５内に配置されたバッフル５６と、バッフル５６に対する駆動装置５８と、排気口５３の外側に配置された軸流ファン５７（送風ファン）とを有している。
【００１５】
ハウジング５５は、吸気口５２が形成された第１ケース５５１と、この第１ケース５５１の側方に取り付けられた第２ケース５５２と、第２の吸気口５５７が形成され底部分に固定された底部材５５３と、第１ケース５５１の側方に形成されたボックス状の収納部分５５５の底面を塞ぐ底蓋５５６とを備えており、収納部分５５５には駆動装置４が配置されている。
【００１６】
図３に示すように、第１ケース５５１の側端面および第２ケース５５２の側端面にはそれぞれ、半円形の切り欠き５３１、５３２が形成されており、ケース５５１、５５２を接合すると、切り欠き５３１、５３２によって円形の排気口５３が形成される。排気口５３の周りには外側に向けて４本のボルト５９が等角度間隔に突き出ており、これらボルト５９にねじ込まれたナット（図示せず）によって軸流ファン５７が排気口５３に固定されている。なお、排気口５３には排出ダクト４５が排気口５３を覆うようにして軸流ファン５７とともに固定されている。
【００１７】
また、第１ケース５５１の底面および第２ケース５５２の底面にはそれぞれ、長方形の切り欠き５４１、５４２が形成されており、ケース５５１、５５２を接合すると、切り欠き５４１、５４２によって底部材５５３が係合される係合孔５４が形成される。なお、底部材５５３には第２の吸気口５５７を覆うようにして第２の吸気ダクト５５４が固定されている。この第２の吸気ダクト５５４内には、図示しない除菌・脱臭用のフィルタが配設されている。
【００１８】
バッフル５６は、第１ケース５５１の側板部分に対して、その下端部分の両側に連結された回転軸５６１、５６２を中心に回転可能に支持されており、起立して吸気口５２を塞いだ閉姿勢と、平伏して第２の吸気口５５７を塞いだ閉姿勢とに切り換えられる。なお、回転軸５６２は、その先端部が収納部分５５５まで延びて、回転軸５６２の先端部に形成された歯車５６５と駆動装置４とが機構的に接続されている。駆動装置４は、駆動源としてのモータ４１と、このモータ４１の出力を送風ファンに伝達する減速歯車列４２とを備えている。
【００１９】
ここで、バッフル５６が、起立して吸気口５２を塞いだ閉姿勢では、第２の吸気口５５７と排気口５３とで流体の流通が許容されるため、この状態において、送風ファン５７が駆動される第２の吸気ダクト５５４より導入された庫内の空気が、除菌・脱臭用のフィルタによって除菌・脱臭された後、第２の吸気口５５７を通過して排気口５３より庫内に戻される。また、バッフル５６が、平伏して第２の吸気口５５７を塞いだ閉姿勢では、吸気口５２と排気口５３とで流体の流通が許容されるため、この状態において、送風ファン５７が駆動されると冷却機３０からの冷気が吸気口５２より導入されて、送風ファン５７を通過した後、排気口５３より庫内へ排出される。バッフル５６が、起立して吸気口５２を塞いだ閉姿勢と、平伏して第２の吸気口５５７を塞いだ閉姿勢との中間位置にある中間姿勢では、吸気口５２および第２の吸気口５５７の双方が、排気口５３と流体の流通が許容されるため、この状態において、送風ファン５７が駆動されると、冷却機３０からの冷気が吸気口５２より導入されるとともに、第２の吸気ダクト５５４より導入され除菌・脱臭された庫内の空気が第２の吸気口５５７を経由して、共に排気口５３より庫内に排出される。
【００２０】
（本形態の効果）
以上説明したように、本形態のダンパ装置１では、送風ファンとして軸流ファン５７がハウジング５５に対して一体に取り付けられているため、例えば、共通の冷却機３０から複数の収納室に冷気を供給する場合でも、個々の収納室に向かう各冷気供給経路にダンパ装置１を配置すればよく、大型の送風ファンを冷却機３０近傍に配置する必要がない。このため、本形態では、送風ファンとしては、小型の軸流ファン５７を用いればよく、冷却機３０の近傍に大型のファンを配置するための大きな空間を確保する必要がない。それ故、冷蔵庫の小型化を図ることができる。
【００２１】
また、本形態では、バッフルが吸気口５２と排気口５３との流路を閉鎖した際、第２の吸気口５５７と排気口５３との流路を開口するように構成されているので、冷却機３０からの冷気が導入される吸気口５２を遮断して軸流ファン５７を駆動することにより、冷気を導入することなく収納室の空気を循環させることができる。故に、収納室内の温度が設定温度以下であっても、脱臭を行うことができる。そのため、収納室内の脱臭のタイミングの自由度を高め、収納室の脱臭を充分に行うことが可能になる。
【００２２】
さらに、本形態において第２の吸気口５５７は、軸流ファン５７より吸気口５２側に配設されているので、収納室の空気を第２の吸気口５５７から効率良く導入することができる。そのため、収納室の脱臭能力を向上することができる。
【００２３】
（その他の実施の形態）
なお、上述の実施の形態は、本発明の好適な実施の形態の例であるが、これに限定されるものではなく、本発明の主旨を逸脱しない範囲において、種種変形実施可能である。例えば、上記形態では、送風ファンとして軸流ファン５７を用いているが、シロッコファン等、その他のファンを用いてもよい。
【００２４】
また、上述の実施の形態において、軸流ファン５７の回転軸の方向が、バッフル５６を回転可能に支持する回転軸５６１、５６２の方向と平行になっているが、必ずしも平行にする必要はなく、互いに直交させてもよい。
【００２５】
さらにまた、上述の実施の形態において、第２の吸気ダクト５５４より導入された庫内の空気が、除菌・脱臭用のフィルタによって除菌・脱臭された後、排気口５３より庫内に戻されるようになっているが、排気口５３より庫内の空気を導入し、第２の吸気ダクト５５４より排出するようにしてもよい。なお、除菌・脱臭用のフィルタが配設される位置は、第２の吸気ダクト５５４に限定されるものではなく、排出ダクト４５に配設してもよい。
【図面の簡単な説明】
【００２６】
【図１】本発明の実施の形態に係るダンパ装置の一部を断面で示す斜視図である。
【図２】（ａ）、（ｂ）は、本発明の実施の形態に係るダンパ装置の正面図、および（ａ）におけるＡ−Ａ断面を矢示Ｌの方向から見たときの断面図である。
【図３】図１に示すダンパ装置の分解斜視図である。
【符号の説明】
【００２７】
１  ダンパ装置
３０  冷却機
５２  吸気口
５３  排気口
５４  第２の吸気口
５５  ハウジング
５６  バッフル
５７  軸流ファン（送風ファン）
【図１】
2007147178.tif 000003
【図２】
2007147178.tif 000004
【図３】
2007147178.tif 000005